【手続補正書】
【提出日】平成24年9月14日(2012.9.14)
【手続補正１】
【補正対象書類名】特許請求の範囲
【補正対象項目名】全文
【補正方法】変更
【補正の内容】
【特許請求の範囲】
【請求項１】
医療的状態の少なくとも部分的な閉ループ制御のためのシステムであって、該システムは、
少なくとも１つの医療用流体ポンプであって、該医療用流体ポンプは、該ポンプによって送出される流体の体積を決定するセンサを備える、医療用流体ポンプと、
少なくとも１つの連続的検体モニタと、
コントローラであって、該コントローラは、該医療用流体ポンプおよび該少なくとも１つの連続的検体モニタと通信しており、該コントローラは、プロセッサを備え、該プロセッサは、該少なくとも１つの連続的検体モニタおよび該ポンプによって送出される流体の体積を決定するセンサから受信されるデータに少なくとも基づく医療用流体の送達のための命令を備える、コントローラと
を備える、システム。
【請求項２】
前記センサは、音響体積センサをさらに備える、請求項１に記載のシステム。
【請求項３】
ネットワーク操作センターであって、前記プロセッサと通信しているネットワーク操作センターをさらに備える、請求項１に記載のシステム。
【請求項４】
前記ポンプは、
流体源との流体連通を提供するように接続可能な入口、およびポンプ出口を有する送出チャンバと、
該送出チャンバに圧縮ストロークを提供するように適合される加力アセンブリと
をさらに備え、
該圧縮ストロークは、該送出チャンバからポンプ出口に流体を押し進めながら、該送出チャンバから該入口を通る流体の逆流の制限を引き起こす、請求項１に記載のシステム。
【請求項５】
前記加力アセンブリは、入口弁アクチュエータおよびポンプアクチュエータに連結され、それにより、該ポンプアクチュエータが、流体を前記送出チャンバから前記ポンプ出口まで押し進めるようにすると、前記圧縮ストロークが、前記入口と前記流体源との間に連結された入口弁を作動させて該弁を閉鎖する、請求項４に記載のシステム。
【請求項６】
前記加力アセンブリは、前記弁アクチュエータおよび前記ポンプアクチュエータの協調動作のためのモータをさらに備え、該モータは、少なくとも１つの形状記憶アクチュエータを含む、請求項５に記載のシステム。
【請求項７】
前記連続的検体モニタのうちの少なくとも１つは、連続的グルコースモニタである、請求項１に記載のシステム。
【請求項８】
少なくとも１つの加速度計をさらに備える、請求項１に記載のシステム。
【請求項９】
少なくとも１つの血中酸素センサをさらに備える、請求項１に記載のシステム。
【請求項１０】
少なくとも１つの加速度計と、少なくとも１つのジャイロスコープとを備える、少なくとも１つの慣性計測装置をさらに備える、請求項１に記載のシステム。
【請求項１１】
少なくとも１つの温度センサをさらに備える、請求項１に記載のシステム。
【請求項１２】
医療的状態の少なくとも部分的な閉ループ制御のための方法であって、該方法は、
時間枠または事象中のグルコースデータを受信することと、
該グルコースデータを以前の同様の時間枠または事象と比較することと、
該時間枠または該事象中の予期しない結果を決定することと、
予期しない結果を示すために警告信号を送信することと
を含む、方法。
【請求項１３】
前記警告信号を送信することは、前記予期しない結果についてユーザに警告することを含む、請求項１２に記載の方法。
【請求項１４】
前記予期しない結果に関する情報を入力するように前記ユーザを促すことをさらに含む、請求項１３に記載の方法。
【請求項１５】
前記システムは、前記ユーザから前記予期しない結果に関する情報を受信せず、該システムをシャットダウンすることをさらに含む、請求項１４に記載の方法。
【請求項１６】
前記システムをシャットダウンすることは、一連のアラームを介して、該シャットダウンについて前記ユーザに警告することを含む、請求項１５に記載の方法。
【請求項１７】
一連のアラームを介して、前記シャットダウンについて前記ユーザに警告することは、一連の増大するアラームを介して、該シャットダウンについて該ユーザに警告することを含む、請求項１６に記載の方法。
【請求項１８】
医療的状態の少なくとも部分的な閉ループ制御のための方法であって、該方法は、
時間枠または事象中の医療用流体送達データを受信することと、
該医療用流体送達データを以前の同様の時間枠または事象と比較することと、
該時間枠または該事象中の予期しない結果を決定することと、
予期しない結果を示すために警告信号を送信することと
を含む、方法。
【請求項１９】
警告信号を送信することは、前記予期しない結果についてユーザに警告することを含む、請求項１８に記載の方法。
【請求項２０】
前記予期しない結果に関する情報を入力するように前記ユーザを促すことをさらに含む、請求項１９に記載の方法。
【請求項２１】
前記システムは、前記ユーザから前記予期しない結果に関する情報を受信せず、該システムをシャットダウンすることをさらに含む、請求項２０に記載の方法。
【請求項２２】
前記システムをシャットダウンすることは、一連のアラームを介して、該シャットダウンについて前記ユーザに警告することを含む、請求項２１に記載の方法。
【請求項２３】
一連のアラームを介して、前記シャットダウンについて前記ユーザに警告することは、一連の増大するアラームを介して、該シャットダウンについて該ユーザに警告することを含む、請求項２２に記載の方法。
【請求項２４】
検体センサの完全性を監視するための方法であって、該方法は、
検体に対する連続的検体センサにごく近接して、所定の濃度を有する該検体の体積を注射することと、
該連続的検体センサからデータを受信することと、
該検体センサが該検体の注射体積に応答するか否かを決定するために、該データを分析することと
を含む、方法。
【請求項２５】
前記検体は、グルコースである、請求項２４に記載の方法。
【手続補正２】
【補正対象書類名】明細書
【補正対象項目名】００１６
【補正方法】変更
【補正の内容】
【００１６】
本発明は、例えば、以下の項目も提供する。
（項目１）
医療的状態の少なくとも部分的な閉ループ制御のためのシステムであって、該システムは、
少なくとも１つの医療用流体ポンプであって、該医療用流体ポンプは、該ポンプによって送出される流体の体積を決定するセンサを備える、医療用流体ポンプと、
少なくとも１つの連続的検体モニタと、
コントローラであって、該コントローラは、該医療用流体ポンプおよび該少なくとも１つの連続的検体モニタと通信しており、該コントローラは、プロセッサを備え、該プロセッサは、該少なくとも１つの連続的検体モニタから受信されるデータに少なくとも基づく医療用流体の送達のための命令を備える、コントローラと
を備える、システム。
（項目２）
前記センサは、音響体積センサをさらに備える、項目１に記載のシステム。
（項目３）
ネットワーク操作センターであって、前記プロセッサと通信しているネットワーク操作センターをさらに備える、項目１に記載のシステム。
（項目４）
前記ポンプは、
流体源との流体連通を提供するように接続可能な入口、およびポンプ出口を有する送出チャンバと、
該送出チャンバに圧縮ストロークを提供するように適合される加力アセンブリと
をさらに備え、
該圧縮ストロークは、該送出チャンバからポンプ出口に流体を押し進めながら、該送出チャンバから該入口を通る流体の逆流の制限を引き起こす、項目１に記載のシステム。
（項目５）
前記加力アセンブリは、入口弁アクチュエータおよびポンプアクチュエータに連結され、それにより、該ポンプアクチュエータが、流体を前記送出チャンバから前記ポンプ出口まで押し進めるようにすると、前記圧縮ストロークが、前記入口と前記流体源との間に連結された入口弁を作動させて該弁を閉鎖する、項目４に記載のシステム。
（項目６）
前記加力アセンブリは、前記弁アクチュエータおよび前記ポンプアクチュエータの協調動作のためのモータをさらに備え、該モータは、少なくとも１つの形状記憶アクチュエータを含む、項目５に記載のシステム。
（項目７）
前記連続的検体モニタのうちの少なくとも１つは、連続的グルコースモニタである、項目１に記載のシステム。
（項目８）
少なくとも１つの加速度計をさらに備える、項目１に記載のシステム。
（項目９）
少なくとも１つの血中酸素センサをさらに備える、項目１に記載のシステム。
（項目１０）
少なくとも１つの加速度計と、少なくとも１つのジャイロスコープとを備える、少なくとも１つの慣性計測装置をさらに備える、項目１に記載のシステム。
（項目１１）
少なくとも１つの温度センサをさらに備える、項目１に記載のシステム。
（項目１２）
医療的状態の少なくとも部分的な閉ループ制御のための方法であって、該方法は、
時間枠または事象中のグルコースデータを受信することと、
該グルコースデータを以前の同様の時間枠または事象と比較することと、
該時間枠または該事象中の予期しない結果を決定することと、
予期しない結果を示すために警告信号を送信することと
を含む、方法。
（項目１３）
前記警告信号を送信することは、前記予期しない結果についてユーザに警告することをさらに含む、項目１２に記載の方法。
（項目１４）
前記予期しない結果に関する情報を入力するように前記ユーザを促すことをさらに含む、項目１３に記載の方法。
（項目１５）
前記システムは、前記ユーザから前記予期しない結果に関する情報を受信せず、該システムをシャットダウンすることをさらに含む、項目１４に記載の方法。
（項目１６）
前記システムをシャットダウンすることは、一連のアラームを介して、該シャットダウンについて前記ユーザに警告することをさらに含む、項目１５に記載の方法。
（項目１７）
一連のアラームを介して、前記シャットダウンについて前記ユーザに警告することは、一連の増大するアラームを介して、該シャットダウンについて該ユーザに警告することをさらに含む、項目１６に記載の方法。
（項目１８）
医療的状態の少なくとも部分的な閉ループ制御のための方法であって、該方法は、
時間枠または事象中の医療用流体送達データを受信することと、
該医療用流体送達データを以前の同様の時間枠または事象と比較することと、
該時間枠または該事象中の予期しない結果を決定することと、
予期しない結果を示すために警告信号を送信することと
を含む、方法。
（項目１９）
警告信号を送信することは、前記予期しない結果についてユーザに警告することをさらに含む、項目１８に記載の方法。
（項目２０）
前記予期しない結果に関する情報を入力するように前記ユーザを促すことをさらに含む、項目１９に記載の方法。
（項目２１）
前記システムは、前記ユーザから前記予期しない結果に関する情報を受信せず、該システムをシャットダウンすることをさらに含む、項目２０に記載の方法。
（項目２２）
前記システムをシャットダウンすることは、一連のアラームを介して、該シャットダウンについて前記ユーザに警告することをさらに含む、項目２１に記載の方法。
（項目２３）
一連のアラームを介して、前記シャットダウンについて前記ユーザに警告することは、一連の増大するアラームを介して、該シャットダウンについて該ユーザに警告することをさらに含む、項目２２に記載の方法。
（項目２４）
検体センサの完全性を監視するための方法であって、該方法は、
検体に対する連続的検体センサにごく近接して、所定の濃度を有する該検体の体積を注射することと、
該連続的検体センサからデータを受信することと、
該検体センサが該検体の注射体積に応答するか否かを決定するために、該データを分析することと
を含む、方法。
（項目２５）
さらに、前記検体は、グルコースである、項目２４に記載の方法。
本発明のこれらの側面は、排他的となるように意図されておらず、添付の請求項および添付図面と併せて読むと、本発明の他の特徴、側面、および利点が、当業者にとって容易に明白となるであろう。